(57)【要約】【目的】患者の状況、症状に応じた適切な治療が可能で且つ操作性の良い多チャンネル低周波治療器を提供することにある。【構成】低周波電流を出力する複数の出力チャンネル（３）と、複数の治療タイマー（４）を有し、各治療タイマー（４）は複数の出力チャンネル（３）の内から任意の出力チャンネル（３）を選択して一つのグループとし、複数のグループを構成し、一つのグループ内の出力チャンネル（３）は、他のグループとの間で重複せず、グループと出力チャンネル（３）の組み合わせは、予め準備された複数の組み合わせから選択する多チャンネル低周波治療器である。【選択図】      図１
2004229972.tif 000002
【特許請求の範囲】
【請求項１】
低周波電流を出力する複数の出力チャンネル（３）と、複数の治療タイマー（４）を有し、各治療タイマー（４）は複数の出力チャンネル（３）の内から任意の出力チャンネル（３）を選択して一つのグループとし、複数のグループを構成することが可能な多チャンネル低周波治療器。
【請求項２】
一つのグループ内の出力チャンネル（３）は、他のグループとの間で重複しないことを特徴とした請求項１記載の多チャンネル低周波治療器。
【請求項３】
グループと出力チャンネル（３）の組み合わせは、予め準備された複数の組み合わせから選択することを特徴とした請求項１又は２記載の多チャンネル低周波治療器。
【請求項４】
表示装置（９）に画像表示器（２３）を使用し、画像表示器（２３）に出力チャンネル（３）とグループとの組み合わせ関係を図表示し、出力チャンネル（３）とグループの組み合わせ状況が容易に判別可能としたことを特徴とした請求項１又は２又は３記載の多チャンネル低周波治療器。
【請求項５】
グループと出力チャンネル（３）の組み合わせを変更した場合に、組み合わせ構成が容易に判別できる様、図柄または色が自動的に変化することを特徴とする請求項４記載の低周波治療器。
【請求項６】
各グループ毎に異なる色を決め、各出力チャンネル（３）の出力設定部（１０）に複数色表示可能な点灯器（２７）を配置し、点灯器（２７）の点灯色をグループ色と同系色とすることによって、各出力チャンネル（３）がどのグループに属するかを点灯器（２７）の色から判別可能であることを特徴とする請求項１又は２又は３記載の多チャンネル低周波治療器。
【発明の詳細な説明】
【０００１】
【産業上の利用分野】
本発明は、人体患部に低周波電流通電を行ない通電刺激を加える多チャンネル低周波治療器に関する。
【０００２】
【従来の技術】
【特許文献】特開２０００−３２５４８７号
上掲の特許文献には、複数の出力部と、複数の出力調整用操作部と、を備えた多チャンネル式低周波治療装置において、出力がそれぞれ所定の目標出力となるように連動される多チャンネル式低周波治療装置が開示されている。
【０００３】
【発明が解決しようとする課題】
前掲の特許文献では、治療開始に際して初頭に行われる出力調整の手間を大幅に軽減できるが、多出力チャンネルをタイマー毎に出力チャンネルを任意に選択してグループ化する構成は無く、患者の状況や症状に応じて多チャンネル出力機能を使い分けることが不可能であり、適切な治療が出来ない場合があった。更に、装置が十分に活用されず無駄の多いものであった。
【０００４】
本発明の目的は、患者の状況、症状に応じた適切な治療が可能で且つ操作性の良い多チャンネル低周波治療器を提供することにある。
【０００５】
【課題を解決するための手段】
即ち本発明は、低周波電流を出力する複数の出力チャンネル（３）と、複数の治療タイマー（４）を有し、各治療タイマー（４）は複数の出力チャンネル（３）の内から任意の出力チャンネル（３）を選択して一つのグループとし、複数のグループを構成することが可能な多チャンネル低周波治療器である。
又、一つのグループ内の出力チャンネル（３）は、他のグループとの間で重複しない。
更に、グループと出力チャンネル（３）の組み合わせは、予め準備された複数の組み合わせから選択することを特徴とした請求項１又は２記載の多チャンネル低周波治療器である。
更に又、表示装置（９）に画像表示器（２３）を使用し、画像表示器（２３）に出力チャンネル（３）とグループとの組み合わせ関係を図表示し、出力チャンネル（３）とグループの組み合わせ状況が容易に判別可能とした。
又、グループと出力チャンネル（３）の組み合わせを変更した場合に、組み合わせ構成が容易に判別できる様、図柄または色が自動的に変化する。
更に、各グループ毎に異なる色を決め、各出力チャンネル（３）の出力設定部（１０）に複数色表示可能な点灯器（２７）を配置し、点灯器（２７）の点灯色をグループ色と同系色とすることによって、各出力チャンネル（３）がどのグループに属するかを点灯器（２７）の色から判別可能である。
【０００６】
【作用】
本発明の低周波治療器１を用いて、患者に低周波治療を施す。
複数の出力チャンネル３は、低周波電流を出力する。
一つの治療タイマー４は、複数の出力チャンネル３の内から任意に選択された出力チャンネル３を一つのグループとする。
複数の治療タイマー４は、治療タイマー４毎にグループ化された出力
チャンネル３のグループを複数個構成する。
【０００７】
グループ内の出力チャンネル３は、他のグループと重複しない。
【０００８】
出力チャンネル３の組み合わせモデルに係る複数の組み合わせを予め準備しておき、治療に際して行なうグループと出力チャンネル３の組み合わせは、予め準備された複数の組み合わせから選択する。
【０００９】
表示装置９に使用される画像表示器２３はその画面上に出力チャンネル３とグループとの組み合わせ関係を図表示する。図表示から出力チャンネル３とグループの組み合わせが容易に判別可能である。
【００１０】
画像表示器２３は、グループと出力チャンネル３の組み合わせを図柄または色で表示する。グループと出力チャンネル３の組み合わせを変更した場合に図柄または色が自動的に変化する。その変化から、グループと出力チャンネル３の組み合わせの変更が分かる。
【００１１】
各グループ毎にそれぞれに異なるグループ色を決める。
出力調整操作部１８は、出力チャンネル３の出力強度を調整する。
点灯器２７は複数色を表示可能であり、該点灯器２７を、各出力設定部１０に配置し具体的には各出力調整操作部１８近傍に配置し、点灯器２７の点灯色をグループ色と同系色とする。
出力調整操作部１８の点灯器２７の発光色とグループ色とを比較して、各出力チャンネル３がどのグループに属するかを判別する。
【００１２】
【実施例】
本発明実施例の低周波治療器１は、出力部２が出力する低周波電流を皮膚を介して人体に流すものである。低周波治療器１は、電流を患部に流し神経や筋に興奮・鎮痛・筋収縮等を与え、電気治療を行なう。
【００１３】
実施例の低周波治療器１は低周波電流を出力する複数の出力チャンネル３と、複数の治療タイマー４を有している。
低周波治療器１の電気的構成は、電源５と、低周波電流出力を制御する制御器６と、複数の出力チャンネル３と、個々の出力チャンネル３を治療タイマー４毎にグループ化するチャンネルグループ化部７と、皮膚に電極を接触し通電を行なう一対の導子８と、出力チャンネル３とグループとの組み合わせの関係を図表示する表示装置９とからなる。
【００１４】
一つの出力チャンネル３は、低周波電流を出力する出力部２と、出力の強さを好適に調整した上設定する出力設定部１０とからなる。
出力部２は、電圧波形を作成する波形作成回路１１と、出力電流の強さを好適に調整する半導体出力調整器１２と、出力電流を発生する出力回路１３と、出力電流を検出する出力電流検出回路１４とからなる。
【００１５】
出力設定部１０は、筐体２５の操作パネル２４に設けられており、零位置復帰用モーター１５を駆動させるモーター駆動回路１６と、低周波電流出力の値を設定する設定値検出用ポテンショメーター１７と、操作者が手動で動かし低周波電流出力を調整操作する出力調整操作部１８と、出力調整操作部１８の近傍の操作パネル２４面上に取着され複数色に表示可能な点灯器２７｛具体例ではＬＥＤ１９（発光ダイオード）｝とからなる。
【００１６】
チャンネルグループ化部７は、複数出力チャンネル３｛具体的には出力チャンネル３ａ、出力チャンネル３ｂ、出力チャンネル３ｃ、出力チャンネル３ｄ、出力チャンネル３ｅ、出力チャンネル３ｆの六個チャンネル（＝ＣＨ１乃至６）｝の内指示された出力チャンネル３を起動させる出力チャンネル選択起動部２０と、治療時間をカウントし機器を作動させる治療タイマー４（＝治療時間スイッチ）と、六個出力チャンネル３を予め複数にグループ化し（具体例における図４の設定例３では、グループ１は出力チャンネル３ａ、３ｂ、グループ２は出力チャンネル３ｃ、３ｄ、グループ３は出力チャンネル３ｅ、３ｆ）そのグループ化データを記憶させた組み合わせ記憶部２１と、予め準備した複数グループの内の一つを選択する設定記憶選択スイッチ２２とからなる。
【００１７】
グループ化を変更する場合は、各治療タイマー４は、複数の出力チャンネル３の内から任意の出力チャンネル３を適宜選択的に指示して、各治療タイマー４はそれぞれにグループを作り、作ったデータに基づいて出力チャンネル選択起動部２０は複数のグループを構成する。
出力チャンネル選択起動部２０は、或る一つのグループに組み入れられた出力チャンネル３を、他のグループとの間で重複して起動させない。
【００１８】
治療タイマー４は、治療タイマー４ａと、治療タイマー４ｂと、治療タイマー４ｃとからなる。治療タイマー４は当該治療タイマー４で設定した時間だけ当該治療タイマー４にグループ化された出力チャンネル３を稼動させるものである。
【００１９】
表示装置９には液晶、プラズマディスプレイ等の画像表示器２３を使用し、出力チャンネル３と所属グループとの組み合わせが容易に判別できるように、前記画像表示器２３に出力チャンネル３と所属グループとの組み合わせ関係が図表示される。
【００２０】
画像表示器２３にはグループと出力チャンネル３の組み合わせが着色した図柄で表示される。
画像表示器２３は、グループと出力チャンネル３の組み合わせを変更した場合に組み合わせ構成が容易に判別できる様に図柄または色が組み合わせ構成に応じて変化するものである。
【００２１】
画像表示器２３における、グループと出力チャンネル３の組み合わせが表示された図柄には、各グループそれぞれに異なる色（＝グループ色）が決められ着色されている。具体例では、グループ１は赤色、グループ２は黄色、グループ３は緑色である。
【００２２】
各出力チャンネル３がどのグループに属するかを出力調整操作部１８（＝ツマミ部）の近傍の操作パネル２４面上のＬＥＤ１９の発光色から判別できるように、ＬＥＤ１９は前記グループ色と同じ色に点灯するようにしている。
【００２３】
図３に示す画像表示器２３には、モード欄に通電電流のモードが表示され、治療時間表示欄に治療の残時間が表示され、通電形態表示欄に通電形態の内訳が表示され、チャンネル表示欄にチャンネル数が表示され、ピーク電流ピーク電圧表示欄には、通電した電流、電圧のピーク値がアナログ的に表示され、実効値電流表示欄には出力電流の実効値がデジタル的に表示され、治療周波数欄には低周波電流の周波数が表示されている。
図２中、２６はコネクターパネルである。
【００２４】
使用に際しては、一方・他方導子８ａ・８ｂを患部に間隔をあけて装着し通電経路を作る。
【００２５】
実施例の低周波治療器１を作動させ上述の通電経路に通電する。
あるインピーダンスを有す人体表面に一組導子８を装着し電流を流す。
出力調整操作部１８を操作して、出力部２の低周波出力電流を好適値に上げ、通電治療を行なう。
【００２６】
出力チャンネル３が複数個あるので、一患者に付き複数箇所にそれぞれ一組導子８を貼着し、複数患部を治療できる。又は、一患部の周辺に複数組の導子８を装着して治療できる。或いは、複数の患者にそれぞれ一組導子８を一箇所又は複数箇所に貼着し、複数患者を治療できる。
【００２７】
実施例は六個出力チャンネル３を有し、三個治療タイマー４を有する。
図４の設定例５に示すグループ化例では、治療タイマー４ｂ、４ｃに各一個の出力チャンネル３を配属した場合には、治療タイマー４ａに四個出力チャンネル３をグループ化でき、一人の患者に付き四個出力チャンネル３を使用して同時に四個所を通電できる。
【００２８】
又、実施例は治療タイマー４を三個設けているので、三人の患者に、
個別に、一患者当たり一個所乃至四個所通電を行なえる。
【００２９】
図４の設定例６に示す別のグループ化例では、三個治療タイマー４の内一個治療タイマー４ｃには出力チャンネル３を配属しないで、他の二個の治療タイマー４ａ、４ｂに、六個の出力チャンネル３を五個と一個に振り分ける。この場合、二人の患者に一患者当たり一箇所又は五箇所通電を行なえる。以上のように、様々な治療形態に対応して通電を行なう。
【００３０】
出力チャンネル選択起動部２０の起動作用により、或る一つのグループ内の出力チャンネル３は、他の二つのグループと重複しない。
【００３１】
グループにおける出力チャンネル３の組み合わせに付いては、複数の出力チャンネル３の組み合わせ（例えば図４の実施例１乃至６に示す六通りの組み合わせ）を予め準備し、組み合わせ記憶部２１にデータとして記憶させており、グループと出力チャンネル３の組み合わせは、設定記憶選択スイッチ２２により、予め準備された複数の組み合わせに係るデータから選択し、選択したデータを出力チャンネル選択起動部２０へ付与して行なう。
【００３２】
グループ化の状況及び操作状況は画像表示器２３に表示されるのでその表示を視認する。
又、表示装置９に使用される画像表示器２３は、その画面に出力チャンネル３とグループとの組み合わせ関係を図表示する。図表示を見れば出力チャンネル３とグループの組み合わせが判別できる。
【００３３】
画像表示器２３は、グループと出力チャンネル３の組み合わせを図柄及び色で表示する。各グループ毎にそれぞれに異なる色が表示される。
【００３４】
図３に示すように、図柄に係る一設定例では、画像表示器２３の画面上の図柄はグループ別に三列の囲いを描き、左部から右方へグループ１、２、３とし、グループ１の囲いの中の地の色を赤色とし、グループ２の囲いの中の地の色を黄色とし、グループ３の囲いの中の地の色を緑色とする。出力チャンネル（ＣＨ１）３ａ、出力チャンネル（ＣＨ２）３ｂをグループ１にグループ化し、出力チャンネル（ＣＨ３）３ｃ、出力チャンネル（ＣＨ４）３ｄをグループ２にグループ化し、出力チャンネル（ＣＨ５）３ｅ、出力チャンネル（ＣＨ６）３ｆをグループ３にグループ化する。
【００３５】
他の実施例として、図５に示す表示画面及び図６に示すグループ構成で示すような二個グループの構成としてもよい。
【００３６】
グループと出力チャンネル３の組み合わせを変更した場合に図柄及び色が自動的に変化する。その図柄または色の変化から、グループと出力チャンネル３の組み合わせの変更が分かる。
【００３７】
例えば、出力チャンネル３ｅをグループ３からグループ２へ移転した場合、出力チャンネル３ｅに係る表示は緑色から黄色に変わる。このように、編入されたグループ色に変るため、出力チャンネル３ｅはグループ３ではなくグループ２へ移転したことが明瞭に分かる。
【００３８】
出力調整操作部１８は、出力チャンネル３の低周波電流に係る出力強度を調整する。
ＬＥＤ１９は複数色を表示可能であり、該ＬＥＤ１９を各出力調整操作部１８の取り付け位置の直上方の近傍位置に配置し、ＬＥＤ１９はグループ色と同系色に点灯する。ＬＥＤ１９の点灯色はグループ毎に同系色となる。
【００３９】
出力調整操作部１８のＬＥＤ１９の発光色とグループ色とを比較すれば、各出力チャンネル３がどのグループに属するかが分かる。
【００４０】
【発明の効果】
本発明は、低周波電流を出力する複数の出力チャンネル３と、複数の治療タイマー４を有し、各治療タイマー４は複数の出力チャンネル３の内から任意の出力チャンネル３を選択して一つのグループとし、複数のグループを構成するものである。従来技術は、治療タイマー４毎にグループ化されたグループと出力チャンネル３との組み合わせが固定であり、適切な治療が出来ない場合があり、又、ユーザーの使用方法によっては使用しないチャンネルが発生し、無駄が多かった。
【００４１】
本発明は、必要な出力チャンネル３を治療タイマー４毎にグループ化し出力チャンネル３の利用度を高め、使用しない出力チャンネル３を減らし無駄を減らすことができ、好都合である。
【００４２】
又、従来技術は、患者の状況に合わせた適宜な複数箇所の通電を実施することが出来なかったが、本発明は、複数の出力チャンネル３を適宜増減して患者の状況に合わせた通電治療を実施出来、柔軟に対応でき、好都合である。
【００４３】
本発明は、或る一つのグループ内の出力チャンネル３は、他のグループとの間で重複しないものであるから、出力チャンネル３は、一個の治療タイマー４の指示で作動を開始及び停止し、不測に作動を開始及び停止することは無く、便利であり安全であり、好都合である。
【００４４】
本発明は、グループと出力チャンネル３の組み合わせは、予め準備された複数の組み合わせから選択するものであるから、治療時に一々組み合わせ作業を行なわず選択操作により行なえ、操作が簡単であり、好都合である。
【００４５】
本発明は、表示装置９に画像表示器２３を使用し、画像表示器２３に出力チャンネル３とグループとの組み合わせ関係を図表示するものである。この構成は、治療タイマー４毎のグループと出力チャンネル３の組み合わせ変更を考慮した図表示機能であるため、操作者は表示面の表示に助けられ、認識性、操作性が低下せず良好であり、好都合である。
【００４６】
本発明は、グループと出力チャンネル３の組み合わせを変更した場合に、組み合わせ構成が容易に判別できる様、図柄または色が自動的に変化するものである。この構成によれば、グループ毎に立て分けた図柄とされ、その図柄はグループ毎に色分けされており、各出力チャンネル３と所属グループの認識性が向上する。又、或る一つの出力チャンネル３を他グループへ移転しても、当該出力チャンネル３に係る図柄が移転先のグループに組み込まれた図柄に変わり、その図柄の色も移転先のグループの色に変るので、グループの所属が明確になり、所属グループを間違うことはなく、安全であり操作し易く、好都合である。
【００４７】
本発明は、各グループそれぞれに異なるグループ色を決め、各出力チャンネル３の出力設定部１０に複数色表示可能な点灯器２７を配置し、点灯器２７の点灯色をグループ色と同系色とするものである。従来技術では、グループと出力チャンネル３の組み合わせは予め定められた操作パネルデザインで固定であったため、仮りに、出力チャンネル３のグループを変更した場合、出力調整操作部１８と出力チャンネル３の関係を一目で判断することは難しい。
本発明では出力調整操作部１８近辺に配置された点灯器２７の点灯色と画面上のグループ毎の表示色とにより、各出力チャンネル３がどのグループに属するかを一目で判別でき、好都合である。
【図面の簡単な説明】
【図１】本発明の実施例のブロック図である。
【図２】本発明の実施例の外観斜視図である。
【図３】本発明の実施例の表示装置を示す図である。
【図４】本発明の実施例のグループ構成を示す図である。
【図５】本発明の実施例の表示装置に係る他実施例を示す図である。
【図６】本発明の実施例のグループ構成に係る他実施例を示す図である。
【符号の説明】
３    出力チャンネル
４    治療タイマー
９    表示装置
１０    出力設定部
２３    画像表示器
２７    点灯器
【図１】
2004229972.tif 000003
【図２】
2004229972.tif 000004
【図３】
2004229972.tif 000005
【図４】
2004229972.tif 000006
【図５】
2004229972.tif 000007
【図６】
2004229972.tif 000008